(57)【要約】  装置のシステムは、複数のセンサー装置及び中央ゲートウェイ装置を有する。各センサー装置は、中央ゲートウェイ装置と通信する通信手段、一意的識別子を格納する記憶手段、及び位置識別子を表示する表示手段を有する。中央ゲートウェイ装置は、複数のセンサー装置と通信する通信手段、及び複数のセンサー装置の一意的識別子を格納する記憶手段を有する。
2008520027.tif 000002
【特許請求の範囲】
【請求項１】
装置のシステムであって、各センサー装置は中央ゲートウェイ装置と通信する通信手段と、一意的識別子を格納する記憶手段と、位置識別子を表示する表示手段とを有する、複数のセンサー装置、並びに前記複数のセンサー装置と通信する通信手段を有する中央ゲートウェイ装置を有する、装置のシステム。
【請求項２】
前記中央ゲートウェイ装置は、前記複数のセンサー装置の前記一意的識別子を格納する記憶手段を更に有する、請求項１記載のシステム。
【請求項３】
前記中央ゲートウェイ装置の前記記憶手段は、各センサー装置の前記位置識別子に対応するデータを格納し、及び前記データは、前記センサー装置の前記一意的識別子とリンクされる、請求項２記載のシステム。
【請求項４】
前記複数のセンサー装置は、前記中央ゲートウェイ装置と短距離無線通信リンクを介し通信する、請求項１、２又は３記載のシステム。
【請求項５】
前記複数のセンサー装置は、前記中央ゲートウェイ装置と有線通信リンクを介し通信する、請求項１、２又は３記載のシステム。
【請求項６】
前記中央ゲートウェイ装置と通信する監視局を更に有する、前記請求項の何れか記載のシステム。
【請求項７】
前記監視局は、前記中央ゲートウェイ装置と無線ネットワークを介し通信する、請求項６記載のシステム。
【請求項８】
前記監視局は、前記中央ゲートウェイ装置から離れた位置にある、請求項６又は７記載のシステム。
【請求項９】
前記複数のセンサー装置のそれぞれは、定められた環境で、前記センサー装置の一意的識別子を前記中央ゲートウェイ装置と通信するよう配置される、前記請求項の何れか記載のシステム。
【請求項１０】
前記センサー装置の少なくとも１つは、動きセンサーである、前記請求項の何れか記載のシステム。
【請求項１１】
前記中央ゲートウェイ装置の前記記憶装置は、前記センサー装置の出力を格納する、前記請求項の何れか記載のシステム。
【請求項１２】
装置のシステムをインストールする方法であって、各センサー装置は中央ゲートウェイ装置と通信する通信手段と、一意的識別子を格納する記憶手段と、位置識別子を表示する表示手段とを有する、複数のセンサー装置を受信する段階、並びに各センサー装置を前記位置識別子と対応する位置にインストールする段階、を有する装置のシステムをインストールする方法。
【請求項１３】
前記複数のセンサー装置と通信する通信手段と前記複数のセンサー装置の一意的識別子を格納する記憶手段とを有する中央ゲートウェイ装置を受信する段階、及び前記中央ゲートウェイ装置をインストールする段階、を更に有する請求項１２記載の方法。
【請求項１４】
前記複数のセンサー装置を前記中央ゲートウェイ装置と短距離無線通信リンクを介し接続する段階、を更に有する請求項１２又は１３記載の方法。
【請求項１５】
前記複数のセンサー装置を前記中央ゲートウェイ装置と有線通信リンクを介し接続する段階、を更に有する請求項１２又は１３記載の方法。
【発明の詳細な説明】
【技術分野】
【０００１】
本発明は、装置のシステム及び当該装置のシステムをインストールする方法に関する。
【背景技術】
【０００２】
障害者及び高齢者のための簡易社会警報装置は、ユビキタスである。しかしながら、現在、個人の動き検出器又はパッシブ赤外線センサー（ＰＩＲ）の所与の間隔中の活動の欠如のような単純な条件に加え、挙動及び一般福祉を監視するより複雑なシステムへ向かう傾向がある。社会警報／遠隔監視システムは、標準的に多数の分配型センサーを備えた、住居のゲートウェイボックスを有する。
【０００３】
例えば、特許文献１は、項目発見及び追跡システムを開示している。健康管理環境の活動を追跡するシステムは、プロセッサーと、メモリーと、通信機とを有するマスター局、それぞれ一意的なバッジＩＤを送信する、オブジェクトと結合されたバッジ、及びそれぞれバッジＩＤを受信し及び当該マスター局通信機へ当該バッジＩＤ及びセンサーを位置に関連付ける一意的なセンサーＩＤを送信する通信機を有する、当該環境全体に配置されたセンサー、を有する。マスター局プロセッサーは、バッジ及びセンサーＩＤから、オブジェクトに関連付けられたバッジを識別し、センサーＩＤをセンサー位置に関連付け、そしてオブジェクト位置情報をメモリーに格納することにより、オブジェクト位置を決定する。各バッジはまた、オブジェクトの動き及びマスター局へ変位情報を送るセンサー通信機への送信方向を示す信号を生成する変位センサーを有する。マスター局プロセッサーは、当該情報を用い、格納オブジェクト位置情報を更新する。
【０００４】
しかしながら、特許文献１に記載されたシステムは、非常に複雑であり、専門家によるインストールが必要である。これは、システムをインストールする個人が非技術者であり、このようなネットワーク装置のインストールを熟知していない個人宅のような多くの環境での使用に適さない。
【特許文献１】米国特許第２００２／０１８３９７９号明細書
【発明の開示】
【発明が解決しようとする課題】
【０００５】
従って、本発明の目的は、知られている技術の改善である。
【課題を解決するための手段】
【０００６】
本発明の第１の態様によると、各センサー装置は中央ゲートウェイ装置と通信する通信手段と、一意的識別子を格納する記憶手段と、位置識別子を表示する表示手段とを有する、複数のセンサー装置、並びに当該複数のセンサー装置と通信する通信手段を有する中央ゲートウェイ装置を有する装置のシステムを提供する。
【０００７】
本発明の第２の態様によると、各センサー装置は中央ゲートウェイ装置と通信する通信手段と、一意的識別子を格納する記憶手段と、位置識別子を表示する表示手段と、を有する複数のセンサー装置を受信する段階、並びに当該各センサー装置を当該位置識別子に対応する位置にインストールする段階、を有する装置のシステムをインストールする方法を提供する。
【０００８】
本発明により、インストールが比較的簡単であり、依然として高水準で監視及びデータ収集を機能し得る装置のシステムを提供可能である。システム内の個々の装置は、特定の位置でのインストール専用に設計される。また各センサー装置の位置識別子を表示する表示手段は、センサー装置が正しく設置されていることを保証する。
【０００９】
本発明が解決する問題は２つある。第１に、本発明はインストールを助ける。なぜならば、センサーが意図された位置に決め打ちされる場合、センサーは如何なる技術的知識も有さない誰かにより、各センサー装置に位置を割り付ける複雑で時間の掛かる設定段階を用いることなく位置付けられるからである。
【００１０】
第２に、本発明は、各センサーに対し疑似一意的識別子の可能性を可能にする。従って、Ｘ１０のような電力線通信プロトコルを用いるシステムでは、インストールが困難且つ高価であるフィルターを必要とすることなく、無関係の建物に位置付けられたセンサーからの情報を誤って処理するシステムを他の場所に除去可能である。無線システムでは、セットアップは隣接建物内のセンサーと衝突することなく自動化され得る（装置発見）。
【００１１】
システムの一部であることを目的とする各センサー装置は、望ましくは疑似一意的ＩＤ及び当該センサーの位置を示すコードをプレロードされる。（代案の実施例は、位置データを有するフラッシュメモリーを用い一意的な部屋の位置を特定可能にすることである。）据付者にセンサーを正しく位置付けさせるために、システムの一部であることを目的とする各センサーは、当該センサーの位置を示すテキストをラベル付けされる。例えばテキストは「キッチン１」、「キッチン２」、「ラウンジ」、「ダイニングルーム１」、「ダイニングルーム２」であって良い。センサーの位置コードに従い各センサーを識別するためのルックアップテーブルは、中央ゲートウェイ装置にハードコードされる。
【００１２】
本発明は、様々な種類の多数の分配されたセンサーを有する中央ゲートウェイ装置を有するシステムの容易な設定に関する。動き監視センサー（しばしばＰＩＲ）は、ハードコードされた位置コードを備え製造され得る。又は製造を簡単にするため、各動き監視センサーは、同一の方法で形成されるが、簡単にインストールされるハードコードされた位置情報を備えたフラッシュカードのための機能を有し得る。ユーザーは、場合によっては書面による説明の助けを得て、各センサーをセンサーのラベルにより特定された位置にインストールする。新たなネットワークが住居内にインストールされると、システムは未割り当ての動きセンサーのそれぞれを当該システムの範囲に投じ、そして当該センサーは当該システムの一部であると見なす。
【００１３】
有利なことに、中央ゲートウェイ装置は、複数のセンサー装置の一意的識別子を格納する記憶手段を有する。中央ゲートウェイ装置の記憶手段は、各センサー装置の位置識別子に対応するデータを格納する。また当該データは当該装置の一意的識別子とリンクされる。ゲートウェイにより格納されたデータは、位置識別子に対応し、及び中央ゲートウェイ装置が各センサー装置の位置を承知することを保証する。ゲートウェイは、センサー装置の全ての一意的識別子及びそれらセンサー装置の位置データを有するルックアップテーブルを効果的に格納する。
【００１４】
理想的には、複数のセンサー装置は中央ゲートウェイ装置と短距離無線通信リンクを介し通信する。複数のセンサー装置は中央ゲートウェイ装置と有線通信リンクを介し通信するよう配置され得る。装置間の無線リンクは、インストールがより簡単だが、全ての状況に常に適している訳ではない。有線ネットワークは、例えば電力線システムを介し、センサー装置を中央ゲートウェイ装置と接続するために用いられ得る。
【００１５】
望ましくは、システムは、中央ゲートウェイ装置と通信する監視局を更に有する。理想的には、監視局は中央ゲートウェイ装置と、無線ネットワークを介し通信する。また監視局は中央ゲートウェイ装置から離れた位置にある。監視局は、例えば健康管理専門家又は監視される個人の血縁者により用いられ、システム内のセンサーの出力を監視し、監視される人の全てが良好であることを保証する。最も簡単な実施例では、中央ゲートウェイ装置は監視局と携帯電話網のような広域無線ネットワークを介し通信する。
【００１６】
有利なことに、複数のセンサー装置のそれぞれは、定められた環境で、当該センサー装置の一意的識別子を中央ゲートウェイ装置と通信するよう配置される。これは、標準的にシステムが最初にセットアップされ、システムの据付者によりトリガーされ得る時に生じるか、又は装置が最初に起動した時に自動的に生じ得る。この段階は、中央ゲートウェイ装置がシステム内に存在するこれらの装置を承知することを保証する。
【００１７】
望ましくは、少なくとも１つのセンサー装置は動きセンサーであり、及び中央ゲートウェイ装置の記憶装置は、センサー装置の出力を格納する。これは、センサー装置からのデータが中央ゲートウェイ装置により格納されているので、監視される人を訪問している健康管理専門家が、センサー装置からのデータにアクセスすることを可能にする。
【００１８】
本発明の実施例は、例として以下の図を参照し詳細に説明される。
【発明を実施するための最良の形態】
【００１９】
図１は、インストールされた装置のシステムを有する家１０である。装置のシステムは、複数のセンサー装置１２、１４、１６及び１８を有する。これらセンサー装置１２乃至１８は、家１０に住む人のための監視システムを形成する。いくつかのセンサー装置は、動きセンサーである。また他のセンサー装置は、煙の存在のような環境因子を監視する。
【００２０】
センサー装置１６は、より詳細に示される。センサー装置１６は、中央ゲートウェイ装置２２と通信する通信手段２０、一意的識別子２６を格納する記憶手段２４、及び位置識別子３０を表示する表示手段２８を有する。各センサー装置１２乃至１８は、通信手段、記憶手段及び表示手段のこれら構成要素を有する。
【００２１】
中央ゲートウェイ装置２２は、複数のセンサー装置１２乃至１８と通信する通信手段、及び複数のセンサー装置１２乃至１８の一意的識別子２６を格納する記憶手段３４を有する。中央ゲートウェイ装置２２の記憶手段３４はまた、各センサー装置１２乃至１８の位置識別子３０に対応するデータ３６を格納する。またデータ３６は、当該センサー装置の一意的識別子２６とリンクされる。
【００２２】
センサー装置１６は、装置のシステム内のセンサー番号１を意味する一意的識別子「ＳＮ０１」を有する。表示手段２８は、ＬＣＤ画面等であって良く、位置識別子３０を表示する。センサー装置１６の位置識別子３０は「ラウンジ」である。各センサー装置１２乃至１８の表示手段２８により表示される情報は、非専門家の据付者が各センサー装置１２乃至１８を正しく設置し得ることを保証する。
【００２３】
装置のシステムがインストールの準備ができると、一意的識別子２６は、各センサー装置１２乃至１８の各記憶装置２４にハードコードされる。そして対応するエントリーが、中央ゲートウェイ装置２２の記憶装置３４に作成される。これは、装置のシステムが家１０にインストールされる場合、装置のシステムの不正なインストールの可能性を大きく低減する。
【００２４】
据付者は、各センサー装置１２乃至１８の表示装置２８を見るだけである。表示装置２８は当該特定装置の位置識別子３０を表示する。位置識別子３０は、据付者にセンサー装置をインストールすべき家１０内の位置を知らせる。これは、システム内のセンサー装置のそれぞれに対し繰り返される。多くの場合、装置を位置にインストールすることは、当該装置を当該位置に置くこと以上に何も必要としない。しかしながら、システム内のいくつかの装置では、電力及び情報の接続が行われる必要がある。
【００２５】
図１の家１０に示される装置のシステムでは、複数のセンサー装置１２乃至１８は中央ゲートウェイ装置２２と短距離無線通信リンクを介し通信する。用いられ得る多くの短距離通信プロトコルが存在する。例えばＢｌｕｅｔｏｏｔｈ  ＷｉＦｉ（ＩＥＥＥ８０２．１１ｂ）である。代案のシステムセットアップでは、複数のセンサー装置１２乃至１８は、中央ゲートウェイ装置２２と、全ての現代の建物に不可欠な電力線ネットワークを用いるような有線通信リンクを介し通信するよう配置され得る。
【００２６】
システムが最初にインストールされると、複数のセンサー装置１２乃至１８のそれぞれは、定められた環境で、当該センサー装置の一意的識別子２６を中央ゲートウェイ装置２２と通信するよう配置される。定められた環境は、センサー装置１２乃至１８と中央ゲートウェイ装置との間の通信に用いられるプロトコルの種類に依存する。１つの可能なシナリオは、中央ゲートウェイ装置２２は、一旦インストールされると、照会信号を発行し、装置が存在しシステムにインストールされたことを確定する。返答として、各センサー装置１２乃至１８は、それらの一意的識別子２６を中央ゲートウェイ装置２２へ通信する。中央ゲートウェイ装置２２は、従ってシステムにインストールされたこれらセンサー装置１２乃至１８の確認を受信可能である。
【００２７】
中央ゲートウェイ装置は、センサー装置１２乃至１８の一意的識別子２６のリストを有するルックアップテーブル３８を格納する。このテーブルは、装置のシステムがシステムの非専門家の据付者により受信される前に準備された時に、ハードコードされる。ルックアップテーブル３８はまた、装置１２乃至１８の位置識別子３０に対応するデータ３６を有する。中央ゲートウェイ装置２２により格納されたデータ３６は、センサー装置１６の表示装置２８により表示された位置識別子３０と同一である必要はないが、当該位置識別子３０と対応しなければならない。
【００２８】
センサー装置１６の例では、表示手段２８は、位置識別子２０「ラウンジ」を表示する。同時にルックアップテーブルは、センサー装置１６「ＳＮ０１」の対応するデータ３６「ＬＯ」を格納する。実際には、ルックアップテーブル３８は、センサー装置１６の位置に対応する番号を格納するだろう。センサー装置１２乃至１８のそれぞれでは、ルックアップテーブル３８は、各特定センサー装置１２乃至１８の位置識別子３０に対応するデータエントリー３６を有する。より複雑なルックアップテーブルは以下に示され、より詳細な情報を有する。
【００２９】
【表１】
2008520027.tif 000003
図１のシステムでは、センサー装置１６は動きセンサーであり、赤外線検出器を用い家１０のラウンジ３８内の動きを検出する。夜間、このセンサーは侵入者センサーとして動作するが、日中は家１０に住む人を監視するために用いられる。センサーは、人の動きを検出し、そして特に監視される人が支援を必要としているという所信に至る、動きのない如何なる期間も検出可能である。センサー１６が集める全てのデータは、短距離無線リンクを介し中央ゲートウェイ装置２２と通信される。
【００３０】
このような健康管理監視システムの大多数のインストールでは、システムは、中央ゲートウェイ装置２２と通信する監視局４０を更に有する。これは図２に示される。監視局４０は、通常、中央ゲートウェイ装置２２から離れた位置に置かれる。標準的に、この位置は、地域医療センター、又は監視される人の家１０にインストールされているセンサー装置及びゲートウェイ装置の供給者の商業施設の何れかである。ルックアップテーブルは、中央ゲートウェイ装置２２により格納されているというよりむしろ、監視局４０に格納され得る。この構成では、中央ゲートウェイ装置２２はルックアップテーブルを監視局４０から呼び出すか、又は中央ゲートウェイ装置はセンサー装置１２乃至１８の出力を監視局４０へ直接に渡すかの何れかであり、監視局４０は受信データをその情報源に分解する。
【００３１】
図２に図示された実施例では、監視局４０は、中央ゲートウェイ装置２２と無線ネットワークを介し通信する。これは、標準規格ＧＳＭのような携帯電話網又はＵＭＴＳのような次世代サービスを介し得る。多くのシステムでは、中央ゲートウェイ装置２２は、監視局４０と標準の電話システムのような固定線（有線）ネットワークを介し通信する。これは、センサー装置のシステムのインストールが、実質的にシステムをインストールしたい全ての住居１０に存在する標準の電話接続を巧みに利用し得るという利点を有する。
【００３２】
中央ゲートウェイ装置２２は、多くの異なる方法で監視局４０と通信するよう構成され得る。第１の方法では、センサー装置の全ての測定値は符号化され、中央ゲートウェイ装置２２により監視局４０へ連続的に送信される。理解されるように、これは電力及び帯域のような資源の非常に集中的な使用を伴う。
【００３３】
中央ゲートウェイ装置２２と監視局４０との相互通信を動作する第２の方法は、中央ゲートウェイ装置２２が、センサー装置１２乃至１８の出力を中央ゲートウェイ装置２２の記憶装置３４に格納すること、及び監視局４０と周期的に通信することである。これは、第１の方法より資源の集中が少ないという利点を有する。しかしながら監視局４０がセンサー装置１２乃至１８と関連して保持する情報は、中央ゲートウェイ装置２２からの通信周期の間の時間遅延の最大期間により期限切れになるだろう。
【００３４】
代案である、中央ゲートウェイ装置２２と監視局４０との通信を動作する第３の方法は、ゲートウェイ２２が警戒状況でのみ監視局４０と通信することである。警戒状況は、広義に又は狭義に定められ得る。また警戒状況は、通常、中央ゲートウェイ２２が少なくとも１つのセンサー装置１２乃至１８の出力を解釈し、監視されている人が支援を必要としていると表示した時に生じ得る。例えば、これはセンサー装置１４（ＳＮ０３、主寝室）が監視されている人が１０時間以上の期間の間この部屋にいないと示している、場合によっては監視されている人が病気で寝ていて支援を呼ぶために電話に手を伸ばせないことを示している場合に生じ得る。
【００３５】
監視局４０はセンサー装置１２乃至１８の出力を表示するために用いられ得る表示装置４２を設けられる。これらは、監視されている人の健康を検査するために適切な健康管理専門家により監視され得る。例えば、動きセンサーは、監視される人が占有している家の中の位置を検査し続けるために用いられ得る。長期にわたり、これは、監視される人が特定の回数及び特定の期間の間通常居る部屋の、監視される人の特性を結果として生じる。
【００３６】
監視している健康管理専門家は、日毎に変わる動きセンサーの出力のグラフを見ることにより、監視される人の日課の通常パターンからの如何なる逸脱も発見し得る。監視局４０はまた、ソフトウェアを用い、監視される人の動きパターンのこの分析を実行して良い。これは、パターンの変化を検出し得、動きパターンの変化が懸念される如何なる監視される人も専門家の注意を引く。
【００３７】
センサー装置の出力のこのグラフ表示は、セットトップボックスで実行され、住居１０内のテレビジョンで閲覧され、又は住居内のＰＣで若しくは外部サーバーの遠隔ＰＣにより実行され得る。実際には、最も起こり得る及び最も有用な実施例は、情報が外部サーバーに格納され、そして専門家管理者又は親戚により遠隔ＰＣから閲覧されることである。
【００３８】
集められ親戚又は管理者に利用可能になったデータは、ベッドの占有、椅子の占有、複数の部屋における動き及び／又は存在、周囲温度及び心拍又は個人の体温のような如何なる生理学的情報を有するが、これらに限定されない。
【００３９】
データは、長期間、例えば５年以上にわたり格納され得る。多数の異なる見識は、従ってこのデータを多数の時間期間にわたり解釈可能にする。例えば、動作の衰退及び変化は、長、短、及び中期間で観察され得る。
【００４０】
図３に示されるように、健康管理専門家による研究目的で日常の動きを表す方法は、スケジュール配置である。この実施例では、廊下、キッチン、風呂、及びラウンジを有し得る部屋内の活動は、ベッド占有情報に加え、専門家に表示される。椅子占有センサーのような他のセンサーからのフィードバックはまた、この形式で表示され得る。
【００４１】
図３に示されるように、管理者又は親戚は、このグラフ表示された情報を見て推理し得る。例えば、ベッドで過ごした時間が分かり、示されたキッチンへの３度の訪問は、居住者が規則的に食事を採っていることが推測される。
【００４２】
図４及び５は、四半期の動き情報がどのように表示され得るかの例である。ベッド占有の例では、居住者が午前８時頃に起床し、９時頃就寝する傾向があり、真昼にうたた寝することが分かる。四半期フィードバック図を用い、管理者はこのパターンに注意し、このパターンにおける長期間の変化を発見し得る。
【００４３】
図５は、ある部屋、この例ではキッチンでの四半期の活動概要を示す。キッチンの使用は一定に維持されていることが分かる。再び管理者はこの情報から結論を引き出し得る。活動情報へのアクセスは、管理者にとって有用である。例えば日中の時間にわたる混乱は、早期認知症の症状であり、この種のインターフェースにより簡単に識別され得る。
【００４４】
図６は、センサー装置１２乃至１８及び中央ゲートウェイ２２を図１の住居１０にインストールする方法の概要である。方法は、各センサー装置は中央ゲートウェイ装置と通信する通信手段と、一意的識別子を格納する記憶手段と、位置識別子を表示する表示手段とを有する複数のセンサー装置を受信する段階４４、及び各センサー装置を当該位置識別子に対応する位置にインストールする段階４６、を有する。
【００４５】
方法は、複数のセンサー装置と通信する通信手段と、複数のセンサー装置の一意的識別子を格納する記憶手段とを有する中央ゲートウェイ装置を受信する段階４８、中央ゲートウェイ装置をインストールする段階５０、及び複数のセンサー装置を中央ゲートウェイ装置に短距離無線通信リンクを介し接続する段階５２、を更に有する。
【図面の簡単な説明】
【００４６】
【図１】センサー装置及び中央ゲートウェイを有する、装置のシステムの概略図である。
【図２】監視局と接続された中央ゲートウェイを有する、図１の装置のシステムの概略図である。
【図３】監視される人の活動のスケジュールである。
【図４】四半期のベッド占有グラフである。
【図５】キッチンの活動を纏めた表である。
【図６】装置のシステムをインストールする方法のフローチャートである。
【図１】
2008520027.tif 000004
【図２】
2008520027.tif 000005
【図３】
2008520027.tif 000006
【図４】
2008520027.tif 000007
【図５】
2008520027.tif 000008
【図６】
2008520027.tif 000009
【国際調査報告】
2008520027.tif 000010
2008520027.tif 000011